(57)【要約】【課題】  塗布部にコイルバネを使用し、マスカラ液を塗布し易くまつ毛を梳きやすい化粧用塗布具を提供することにある。【解決手段】  マスカラ液（１６）をまつ毛に塗布するコイルバネ（２０）と、コイルバネ（２０）の中心に配置され、コイルバネ（２０）を固持するための軸体（１８）とを備える塗布部（８）を有する化粧用塗布具（２）であって、コイルバネ（２０）の軸方向に隣接する１ピッチのコイルの屈曲部の少なくとも一部が、周方向にずれていることを特徴とする化粧用塗布具（２）を提供する。マスカラ液１６がピッチ間の空間（Ｓ）に保持され、屈曲部が周方向にずれているため、マスカラ液（１６）を保持しやすく、さらにずれた分だけまつ毛にふれやすく梳き易く、マスカラ液（１６）を塗布し易い。【選択図】図１
2018201612.tif 000002
【特許請求の範囲】
【請求項１】
マスカラ液をまつ毛に塗布するコイルバネと、
前記コイルバネの中心に配置され、該コイルバネを固持するための軸体と、
を備える塗布部を有する化粧用塗布具であって、
前記コイルバネの軸方向に隣接する１ピッチのコイルの屈曲部の少なくとも一部が周方向にずれている、
ことを特徴とする化粧用塗布具。
【請求項２】
前記コイルバネの軸方向に連続する略１ピッチのコイルの所定の外形が、軸方向へ進むに従って周方向所定の角度ずつずれている、
ことを特徴とする請求項１に記載の化粧用塗布具。
【請求項３】
前記所定の外形は多角形であり、該多角形のそれぞれの辺の長さ、及び曲げ角度が同一である、
ことを特徴とする請求項２に記載の化粧用塗布具。
【請求項４】
前記塗布部は、前記化粧用塗布具の中心軸に対し、全体が湾曲又は傾斜している、
ことを特徴とする請求項１〜３のいずれかに記載の化粧用塗布具。
【発明の詳細な説明】
【技術分野】
【０００１】
マスカラ等の液体化粧料の塗布に用いられる化粧用塗布具及びその製造方法に関する。
【背景技術】
【０００２】
従来、マスカラ等の液体化粧料をまつ毛に塗布する化粧用塗布具として、塗布部にコイルバネを使用したタイプがある。これは、塗布部にブリストルを使用するタイプと違って、ブリストルが抜けて目に入り込む心配がないという利点がある。
【０００３】
その反面、摺動しやすいためコイルバネの中心に軸体が必要であり、軸体にコイルバネが密着して巻かれているため、マスカラ液を大量に保持できないという問題があった。
【０００４】
このため、コイルバネの横断面形状と軸体の横断面形状を異なるものとし、軸体とコイルバネとの間に空間を作り、ここにマスカラ液を保持することで、この問題を解決した（特許文献１及び特許文献２）
【先行技術文献】
【特許文献】
【０００５】
【特許文献１】特開２０１０−８８５３２号
【特許文献２】特開２０１１−１３６０１７号
【発明の概要】
【発明が解決しようとする課題】
【０００６】
しかし、軸体とコイルバネとの間の空間に保持されたマスカラ液は、コイルバネの内側にあるため、まつ毛に触れ難い位置にあり、塗布されにくい。実際に塗布に使用されるのは多くがピッチ間にあるマスカラ液であるが、これを増やそうとしてピッチを過剰に拡大してしまうとまつ毛を一本一本梳きながらマスカラ液を塗布することは困難となる。
【０００７】
本発明の目的は、塗布部にコイルバネを使用しながらも、マスカラ液を塗布し易くまつ毛を梳きやすい化粧用塗布具を提供することにある。
【課題を解決するための手段】
【０００８】
上記目的を達成するため、請求項１として、マスカラ液をまつ毛に塗布するコイルバネと、コイルバネの中心に配置され、該コイルバネを固持するための軸体とを備える塗布部を有する化粧用塗布具であって、コイルバネの軸方向に隣接する１ピッチのコイルの屈曲部の少なくとも一部が、周方向にずれている化粧用塗布具を提供する。
【０００９】
請求項２として、請求項１に記載の化粧用塗布具であって、コイルバネの軸方向に連続する略１ピッチのコイルの所定の外形が、軸方向へ進むに従って周方向所定の角度ずつずれている化粧用塗布具を提供する。
【００１０】
請求項３として、請求項２に記載の化粧用塗布具であって、所定の外形は多角形であり、該多角形のそれぞれの辺の長さ、及び曲げ角度が同一である化粧用塗布具を提供する。
【００１１】
請求項４として、請求項１〜３のいずれかに記載の化粧用塗布具であって、塗布部は、前記化粧用塗布具の中心軸に対し、全体が湾曲又は傾斜している化粧用塗布具を提供する。
【発明の効果】
【００１２】
本発明の目的は、塗布部にコイルバネを使用し、マスカラ液を塗布し易くまつ毛を梳きやすい化粧用塗布具を提供することにある。
【図面の簡単な説明】
【００１３】
【図１】第1の実施形態に係る化粧用塗布具２の適用例を示すマスカラ化粧品１の断面図である。
【図２】第1の実施形態に係る化粧用塗布具２の正面図である。
【図３】第1の実施形態に係る化粧用塗布具２の塗布部８であり、（ａ）正面図、（ｂ）Ａ−Ａ線に沿った断面図、（ｃ）Ｂ−Ｂ線に沿った断面図、（ｄ）斜視図、（ｅ）別の角度から見た斜視図、をそれぞれ示す。
【図４】コイルバネ２０のコイルバネ形状を軸方向から見た図である。
【図５】図３（ａ）Ｃ部の拡大図である。
【図６】第２の実施形態に係る化粧用塗布具の正面図であり、（ａ）塗布部が湾曲している場合、（ｂ）塗布部が傾斜している場合、（ｃ）塗布部が反っている場合を示す。
【図７】塗布部８の変形例であり、（ａ）正面図、（ｂ）図３（ａ）のＢ−Ｂ線と同じ位置で切断した拡大断面図、（ｃ）斜視図、（ｄ）別の角度から見た斜視図、をそれぞれ示す。
【図８】塗布部８の変形例を示す正面図。
【発明を実施するための形態】
【００１４】
（第1の実施形態）
以下、本発明に係る化粧用塗布具の好ましい実施形態を、図に従って説明する。
【００１５】
図１及び図２に示すように、マスカラ化粧品１は、マスカラ液１６を収容するマスカラ液容器１０と、マスカラ液容器１０の縮径部１２に装着可能な化粧用塗布具２を備える。
【００１６】
化粧用塗布具２は、キャップ４、基軸６、及び塗布部８から構成される。キャップ４は、基軸６の拡径された円筒の基端部７と一体化している。軸体１８の基軸部１９は、基軸６に設けられた孔９に嵌合し、基軸６と塗布部８は一体に形成される。
【００１７】
マスカラ液容器１０は有底の円筒であり、上端部が縮径されており、係る縮径部１２の上端に開口部を有し、内周にワイパー１４が圧入され固定されている。縮径部１２の外周面には雄ネジが、キャップ４の下部内周には雌ネジがそれぞれ設けられており、キャップ４をマスカラ液容器１０の縮径部１２に螺合可能となっている。マスカラ液容器１０と化粧用塗布具２のキャップ４が螺合した状態では、塗布部８はマスカラ液容器１０の底部よりも若干上方に位置する。マスカラ液容器１０の縮径部１２の内周に配置されたワイパー１４は、上部開口部から底部へ向けて縮径した漏斗状の形状をしており、下部の自由端部は、化粧用塗布具２をマスカラ液容器１０から引き出す際に、塗布部８を扱いて、塗布部８に付着している過剰なマスカラ液１６を掻き落とす。
【００１８】
（塗布部）
図３に示すように、塗布部８は、コイルバネ２０と、その中心に装着される軸体１８からなる。軸体１８はコイルバネ２０の中心にあり、マスカラ液１６をまつ毛に塗布する際のコイルバネ２０の摺動を抑える。軸体１８は円柱形状であり、先端にコイルバネ２０が脱離することを防ぐために、外方向に突出する係止部１７を有する。軸体１８は組立の際にコイルバネ２０の中心に差し込み易いよう、その円柱半径がコイルバネ２０の最少内径よりも僅かに小さくなっているが、コイルバネ２０を強固に固定するため、最少内径と同等もしくは僅かに大きくても良い。この場合、コイルバネ２０のそれぞれの辺が軸体１８に一点で接するため、密接せずとも強固に固定される。
【００１９】
コイルバネ２０は、コイルバネの軸方向に連続する略１ピッチのコイルの所定の外形が（以下コイルバネ形状とする）が、軸方向に進むに従って周方向所定の角度ずつずれながら連続して形成されている。略１ピッチとは、３６０度を含まず、３６０度未満、又は３６０度超を指す。通常のコイルバネにおいては、１ピッチ（３６０度）で所定の形状を繰り返すが、図４に示すように、コイルバネ２０のコイルバネ形状は３６０度に足りず３６０度未満であり、３６０度との差異分が軸方向に進むに従って周方向所定の角度のずれとして表れる。  
コイルバネ形状が、同一の長さの辺及び、同一の曲げ角度で構成されており、これが周方向にずれながら繰り返すコイルバネ２０は、全ての辺の長さ、及び曲げ角度が同一であり、等間隔ピッチで巻かれている。コイルバネ２０は、コイルバネ２０を形成する線材が、軸方向に進みつつ回転しながら、同一の長さ、同一の角度で曲げられた螺旋状の形状となっている。コイルバネ２０の軸方向に隣接する１巻き（１ピッチ）のコイルの屈曲部は、周方向の同じ位置に表れず、所定の角度ずれている。コイルバネ２０は付勢された状態で固持され、回転が抑制されている。
【００２０】
（第1の実施形態の効果）
図５に示すように、マスカラ液１６は主にピッチ間の空間Ｓに保持され、塗布される。この空間Ｓに保持されるマスカラ液１６は、外周に面しているためまつ毛に触れ易い。
【００２１】
コイルバネ２０は略１ピッチで形成される所定の外径が軸方向に進むに従って周方向に所定の角度ずつずれているため、隣り合う一巻分のコイル同士は曲げの頂点が周方向に所定角度ずれている。頂点がずれた分だけ段差が生まれ、その段差だけマスカラ液１６を保持しやすい。また段差があるため、空間Ｓにまつ毛も入りこみ易く、まつ毛に触れ易い。さらにコイルバネ２０は軸体１８と密接した形態ではないため、その分外径が大きくなり、コームとしての高さを確保でき、まつ毛を梳きやすい形状となっている。まつ毛が入り込み易い箇所にマスカラ液１６が保持されるためマスカラ液１６を塗布し易く、また塗布しながらまつ毛を整え易い。
【００２２】
コイルバネ２０は、コイルバネ２０を形成する線材がそれぞれの辺の長さ、及び曲げ角度が同一になるように曲げられた外形を有し、屈曲部の周方向の位置は１巻き毎に周方向に所定角度ずれているが規則的であり、屈曲部は塗布部８外周におおよそ均一に存在している。
【００２３】
隣接する軸方向のコイルと段差のある屈曲部のピッチ間に、マスカラ液１６は多く保持され、そこに保持されるマスカラ液１６は塗布もされやすい。コイルバネ２０は全体に屈曲部を有し、それぞれの屈曲部は隣接する軸方向のコイルとは周方向同じ位置に表れず、ずれているため、それぞれの屈曲部のピッチ間で、マスカラ液１６を保持する。全体的にコイルの屈曲部がずれた塗布部８には、マスカラ液１６が全体としておおよそ均一に保持される。このため、塗布部８のマスカラ液１６の保持量にムラがないため、ムラなくマスカラ液１６をまつ毛に塗布できる。さらに、まつ毛に触れやく塗布がし易く、使い勝手がよい。
【００２４】
（第２の実施形態）
図６に第２の実施形態にかかる化粧用塗布具２ａ、２ｂ、２ｃを示す。第１の実施形態とは塗布部８ａ、８ｂ、８ｃの形状が相違する。塗布部８ａの軸体１８ａは化粧用塗布具の中心軸Ｘに対して傾斜した形状となっている。コイルバネ２０も軸体１８ａに沿って固持され、塗布部８ａ全体が中心軸Ｘに対して傾斜している。また、塗布部８ｂの軸体１８ｂは、中心軸Ｘに対して湾曲している。コイルバネ２０も軸体１８ｂに沿って固持されるため、塗布部８ｂ全体が湾曲している。同様に、塗布部８ｃの軸体１８ｃは中心軸Ｘに対して反りかえっており、コイルバネ２０も軸体１８に沿って変形している。
【００２５】
これにより、塗布部８ａ、８ｂ、８ｃはまつ毛に密着することとなり、マスカラ液１６をまつ毛に塗布し易くなる。コイルバネ２０はバネであるためしなやかに変形が可能であり、軸体１８の形状が相違しても、その形状に追随して変形して固持される。塗布部８の形状が異なる化粧用塗布具２のバリエーションに対して新たに部品を起こす品数が少なり、製造コストの低減を図ることができる。
【００２６】
（変形例）
以上、本発明を実施するための形態について説明したが、本発明は上述の実施形態に限定されることなく、種々変形して実施することが出来る。
【００２７】
コイルバネ２０はコイルバネ形状が軸方向に進むに従って周方向に繰り返されるが、この略１ピッチが３６０度未満又は３６０度を超えればよい。３６０度（１ピッチ）との差異の角度が、軸方向に進むに従って周方向に１ピッチ毎にずれる角度となる。この差異の角度は９０度以下が好ましく、５〜４５度であればより好ましい。
【００２８】
図７の塗布部８のコイルバネ２０は、様々なバリエーションで実施できる。コイルバネ２０ｄ，２０ｅ，２０ｆのコイルバネ形状は、軸方向からみて、コイルバネ２０ｄが略三角形、２０ｅが略五角形、２０ｆは星形である。このように、コイルバネ形状が、軸方向からみて略三角形、略五角形などの多角形の形状や、星形な形状でもよい。
【００２９】
コイルバネ２０ｇは、略１ピッチごとに略三角形の形状と略四角形の形状が交互に現れる形状である。また、コイルバネ２０ｈの略１ピッチの形状を構成するそれぞれの辺の長さ、及び屈曲角度は、全て等しいわけではない。コイルバネ２０ｈは、この形状が軸方向へ進むに従って周方向所定の角度ずつずれながらこの形状が連続している。このように、従来のコイルバネのように周方向に同じ形状を繰りかえさず、コイルバネの軸方向に隣接する１ピッチのコイルの屈曲部の少なくとも一部が、周方向にずれていればよい。隣接するコイルの屈曲部がずれていることで、同じ形状が続くよりもまつ毛にマスカラ液１６が触れ易く、まつ毛を梳きやすい。
【００３０】
軸体１８ｄ、１８ｅ、１８ｆ、１８ｇ、１８ｈは、コイルバネ２０ｄ、２０ｅ、２０ｆ、２０ｇ、２０ｈの内径に合わせて外径を変更したが、共通のものを使用してもよい。
【００３１】
コイルバネ２０の線材の断面形状は円形に限られず、矩形、多角形、楕円等であってもよい。またコイルバネ２０には、金属の他、樹脂等を使用してもよい。
【００３２】
図８（ａ）に示すように、コイルバネ２０ｉの回転を抑え、軸体１８に固持されやすいよう、コイルバネ２０ｉに軸体１８と密着する端部２２を設けてもよい
また、コイルバネ２０を軸体１８に強固に固定するため、端部２２を基軸６内に納めてポンチを打つ、コイルバネ２０が動かぬよう軸体１８に返しを設ける、基軸６又は軸体１８にコイルバネ２０の端を通す孔を設ける等を行ってもよい。
【００３３】
図８（ｂ）の係止部１７ｉのように、係止部１７はまつ毛を梳くことができるコームにしても良い。
【符号の説明】
【００３４】
１  マスカラ化粧品
２、２ａ、２ｂ  化粧用塗布具
４  キャップ
６  基軸
７  （基軸の）円筒部
９  （基軸の）孔
８、８ａ、８ｂ、８ｃ、８ｄ、８ｅ、８ｆ、８ｇ、８ｈ、８ｉ、８ｊ  塗布部
１０  マスカラ液容器
１２  （マスカラ溶液器の）縮径部
１４  ワイパー
１６  マスカラ液
１７、１７ｊ  係止部
１８、１８ａ、１８ｂ、１８ｃ、１８ｄ、１８ｅ、１８ｆ、１８ｇ、１８ｈ、１８ｊ  軸体
１９  （芯線部の）基軸部
２０、２０ｃ、２０ｄ、２０ｅ、２０ｆ、２０ｇ、２０ｈ、２０ｉ  コイルバネ
２２  端部
Ｓ  空間
Ｘ  （化粧用塗布具の）中心軸
【図１】
2018201612.tif 000003
【図２】
2018201612.tif 000004
【図３】
2018201612.tif 000005
【図４】
2018201612.tif 000006
【図５】
2018201612.tif 000007
【図６】
2018201612.tif 000008
【図７】
2018201612.tif 000009
【図８】
2018201612.tif 000010
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
マスカラ液をまつ毛に塗布するコイルバネと、
前記コイルバネの中心に配置され、該コイルバネを固持するための軸体と、
を備える塗布部を有する化粧用塗布具であって、
前記コイルバネの軸方向に連続する略１ピッチの該コイルバネの線材が形成する、前記コイルバネ軸方向から見て前記コイルバネ周方向に複数の屈曲部を持つ所定の外形が、前記コイルバネ軸方向へ進むに従って前記コイルバネ周方向に所定の角度ずつずれている、
ことを特徴とする化粧用塗布具。
【請求項２】
前記コイルバネの線材が形成する屈曲部から屈曲部までのそれぞれの辺の長さ、及び前記コイルバネの線材が形成するそれぞれの屈曲部の前記コイルバネ軸方向からみた角度が、全て同一である、
ことを特徴とする請求項１に記載の化粧用塗布具。
【請求項３】
前記塗布部は、前記化粧用塗布具の中心軸に対し、全体が湾曲又は傾斜している、
ことを特徴とする請求項１又は請求項２に記載の化粧用塗布具。